(57)【要約】【課題】  複数の入力用光ファイバからの光をそれぞれ分波する光分波装置のコンパクト化及び低コスト化を図る。【解決手段】  複数の入力用光ファイバ６ａ，６ｆ，７ａ，７ｆと、グレーティング分波器１０と、複数の出力用光ファイバ群６ｂ〜６ｅ，６ｇ〜６ｊ，７ｂ〜７ｅ，７ｇ〜７ｊとを備えている。入力用光ファイバ６ａ，６ｆと出力用光ファイバ群６ｂ〜６ｅ，６ｇ〜６ｊとは、分波器１０を基準として、分波器１０の溝が伸びている（＋）Ｙ方向側に、Ｘ方向に一列に並んだ状態で配置され、入力用光ファイバ７ａ，７ｆと出力用光ファイバ群７ｂ〜７ｅ，７ｇ〜７ｊとは、分波器１０を基準として、分波器１０の溝が伸びている（−）Ｙ方向側に、Ｘ方向に一列に並んだ状態で配置されている。【選択図】  図４
2005077907.tif 000002
【特許請求の範囲】
【請求項１】
入力用光ファイバと、該入力用光ファイバからの光を分波する分波素子と、該分波素子で分波された各波長域の光を受光する複数の出力用光ファイバと、を備えている光分波装置において、
前記分波素子を基準として、該分波素子の分光方向に対して垂直な方向の一方の側と他方の側とにそれぞれ前記入力用光ファイバの出射端部が配置され、
前記一方の側の入力用光ファイバの出射端部は、該出射端部からの光が前記分波素子で分波されてから前記他方の側へ出射するように向けられ、前記他方の側の入力用光ファイバの出射端部は、該出射端部からの光が前記分波素子で分波されてから前記一方の側へ出射するように向けられ、
前記他方の側の入力用光ファイバからの光であって前記分波素子で分波された光を受光する複数の出力用光ファイバの受光端部は、前記分波素子を基準として前記一方の側であって、前記一方の側の入力用光ファイバの出射端部を基準として前記分光方向と平行な方向に一列に並び、該一方の入力側光ファイバとで第一の光ファイバ群を成し、各出力用光ファイバの受光端部は、前記他方の側の入力用光ファイバからの光であって前記分波素子で分波された光のうちの特定波長域の光をそれぞれ受光できるように向けられ、
前記一方の側の入力用光ファイバからの光であって前記分波素子で分波された光を受光する複数の出力用光ファイバの受光端部は、前記分波素子を基準として前記他方の側であって、前記他方の側の入力用光ファイバの出射端部を基準として前記分光方向と平行な方向に一列に並び、該他方の側の入力用光ファイバとで第二の光ファイバ群を成し、各出力用光ファイバの受光端部は、前記一方の側の入力用光ファイバからの光であって前記分波素子で分波された光のうちの特定波長域の光をそれぞれ受光できるように向けられている、
ことを特徴とする光分波装置。
【請求項２】
請求項１に記載の光分波装置において、
前記第一の光ファイバ群及び前記第二の光ファイバ群は、それぞれ、複数の入力用光ファイバを有すると共に、他方の光ファイバ群のうちの複数の入力用光ファイバからの光をそれぞれ受光する複数の出力用光ファイバ群を有し、
前記第一の光ファイバ群を構成する複数の光ファイバの前記分波素子側の端部、及び前記第二の光ファイバ群を構成する複数の光ファイバの前記分波素子側の端部は、それぞれ、前記分光方向と平行な方向に一列に並び、
前記第一の光ファイバ群の複数の入力用光ファイバの出射端部の間及び前記第二の光ファイバ群の複数の入力用光ファイバの出射端部の間には、他方の光ファイバ群の少なくとも１つの入力用光ファイバからの光を受光する出力用光ファイバ群の受光端部が配置されている、
ことを特徴とする光分波装置。
【請求項３】
請求項２に記載の光分波装置において、
前記第一の光ファイバ群内の複数の入力用光ファイバの出射端部は、いずれも、前記分散素子の特定領域内に光を照射できるように、前記分光方向と平行な面内での角度が互いに異なっており、
前記第二の光ファイバ群内の複数の入力用光ファイバの出射端部は、いずれも、前記分散素子の前記特定領域内の光を照射できるように、前記分光方向と平行な面内での角度が互いに異なっている、
ことを特徴とする光分波装置。
【請求項４】
一定の方向に広がっている各波長域の光を合波する合波素子と、該合波素子で合波された光を受光する出力用光ファイバと、該出力用光ファイバが受光する光のうちの特定波長域の光を該合波素子にそれぞれ出射する複数の入力用光ファイバと、を備えている光合波装置において、
前記合波素子を基準として、前記一定の方向に対して垂直な方向の一方の側と他方の側とにそれぞれ前記出力用光ファイバの受光端部が配置され、
前記一方の側の出力用光ファイバの受光端部は、前記合波素子で合波された前記他方の側からの光を受光できるように向けられ、前記他方の側の出力用光ファイバの受光端部は、前記合波素子で合波された前記一方の側からの光を受光できるように向けられ、
前記他方の側の出力用光ファイバが受光する光であって前記合波素子で合波される前の各波長域の光をそれぞれ出射する複数の入力用光ファイバの出射端部は、前記合波素子を基準として前記一方の側であって、前記一方の側の出力用光ファイバの受光端部を基準として前記一定の方向と平行な方向に一列に並び、該一方の出力側光ファイバとで第一の光ファイバ群を成し、各入力用光ファイバの出射端部は、それぞれから出射された各波長域の光が、前記合波素子で合波されて前記他方の側の出力用光ファイバで受光できるように、向けられ、
前記一方の側の出力用光ファイバが受光する光であって前記合波素子で合波される前の各波長域の光をそれぞれ出射する複数の入力用光ファイバの出射端部は、前記合波素子を基準として前記他方の側であって、前記他方の側の出力用光ファイバの受光端部を基準として前記一定の方向と平行な方向に一列に並び、該他方の出力側光ファイバとで第二の光ファイバ群を成し、各入力用光ファイバの出射端部は、それぞれから出射された各波長域の光が、前記合波素子で合波されて前記他方の側の出力用光ファイバで受光できるように、向けられている、
ことを特徴とする光合波装置。
【請求項５】
請求項４に記載の光合波装置において、
前記第一の光ファイバ群及び前記第二の光ファイバ群は、それぞれ、複数の出力用光ファイバを有すると共に、他方の光ファイバ群のうちの複数の出力用光ファイバへの光をそれぞれ射出する複数の入力用光ファイバ群を有し、
前記第一の光ファイバ群を構成する複数の光ファイバの前記合波素子側の端部、及び前記第二の光ファイバ群を構成する複数の光ファイバの前記合波素子側の端部は、それぞれ、前記一定の方向と平行な方向に一列に並び、
前記第一の光ファイバ群の複数の出力用光ファイバの受光端部の間及び前記第二の光ファイバ群の複数の出力用光ファイバの受光端部の間には、他方の光ファイバ群の少なくとも１つの出力用光ファイバへの光を射出する入力用光ファイバ群の各出射端部が配置されている、
ことを特徴とする光合波装置。
【請求項６】
請求項５に記載の光合波装置において、
前記第一の光ファイバ群内の複数の出力用光ファイバの受光端部は、いずれも、前記合波素子の特定領域内からの光を受光できるように、前記一定の方向と平行な面内での角度が互いに異なっており、
前記第二の光ファイバ群内の複数の出力用光ファイバの受光端部は、いずれも、前記合波素子の前記特定領域内からの光を受光できるように、前記一定の方向と平行な面内での角度が互いに異なっている、
ことを特徴とする光合波装置。
【発明の詳細な説明】
【技術分野】
【０００１】
本発明は、複数の波長域の光を成分とする光を分波する光分波装置、及び複数の波長域の光を合波して１つの光とする光合波装置に関する。
【背景技術】
【０００２】
従来、波長多重通信における光合波・分波装置として、誘電体多層膜、ＦＢＧ（Fiber  Bragg  Grating）、ＡＷＧ（Array  Wave  Guid）、グレーティングを用いたものなどが実用化されている。
【０００３】
これらのうち、誘導体多層膜や以下の特許文献１に記載されているＦＢＧを用いているものは、チャンネル数が４程度であり、グレーティングや以下の特許文献２に記載されているＡＷＧを用いているものは多くて数十チャンネルである。
【０００４】
ところで、以上の光合波・分波装置は、いずれも、１本の入力用光ファイバから射出される光を分波して複数の出力用光ファイバで受けるか、複数の入力用光ファイバから射出された各光を合波して１本の入力用光ファイバで受けるものである。つまり、従来技術において、光分波装置では１本のみの入力用光ファイバを有し、光合波装置では一本のみの出力用光ファイバを有している。
【０００５】
【特許文献１】特開２０００−１６５３５６号公報
【０００６】
【特許文献２】特許第３３４６７５１号公報
【発明の開示】
【発明が解決しようとする課題】
【０００７】
しかしながら、実際の光通信技術においては、複数の入力用光ファイバからの光をそれぞれ分波したり、逆に合波された各光を複数の出力用光ファイバで受けなければならないことがたびたび生じる。このような場合、従来技術では、単純に複数の光合波・分波装置を設けることで対応しているため、装置コストが高価になるという問題点がある。
【０００８】
本発明は、このような事情に鑑みてなされたもので、複数の入力用光ファイバからの光を分波したり、逆に合波された各光を複数の出力用光ファイバで受けることができ、しかも低コストな光分波・合波装置を提供することを目的とする。
【課題を解決するための手段】
【０００９】
上記問題点を解決するための請求項１に係る発明の光分波装置は、
入力用光ファイバと、該入力用光ファイバからの光を分波する分波素子と、該分波素子で分波された各波長域の光を受光する複数の出力用光ファイバと、を備えている光分波装置において、
前記分波素子を基準として、該分波素子の分光方向に対して垂直な方向の一方の側と他方の側とにそれぞれ入力用光ファイバの出射端部が配置され、
前記一方の側の入力用光ファイバの出射端部は、該出力端部からの光が前記分波素子で分波されてから前記他方の側へ出射するように向けられ、前記他方の側の入力用光ファイバの出射端部は、該出力端部からの光が前記分波素子で分波されてから前記一方の側へ出射するように向けられ、
前記他方の側の入力用光ファイバからの光であって前記分波素子で分波された光を受光する複数の出力用光ファイバの受光端部は、前記分波素子を基準として前記一方の側であって、前記一方の側の入力用光ファイバの出射端部を基準として前記分波方向と平行な方向に一列に並び、該一方の入力側光ファイバとで第一の光ファイバ群を成し、各出力用光ファイバの受光端部は、前記他方の側の入力用光ファイバからの光であって前記分波素子で分波された光のうちの特定波長域の光をそれぞれ受光できるように向けられ、
前記一方の側の入力用光ファイバからの光であって前記分波素子で分波された光を受光する複数の出力用光ファイバの受光端部は、前記分波素子を基準として前記他方の側であって、前記他方の側の入力用光ファイバの出射端部を基準として前記分光方向と平行な方向に一列に並び、該他方の側の入力用光ファイバとで第二の光ファイバ群を成し、各出力用光ファイバの受光端部は、前記一方の側の入力用光ファイバからの光であって前記分波素子で分波された光のうちの特定波長域の光をそれぞれ受光できるように向けられている、ことを特徴とする。
【００１０】
請求項２に係る発明の光分波装置は、
請求項１に記載の光分波装置において、
前記第一の光ファイバ群及び前記第二の光ファイバ群は、それぞれ、複数の入力用光ファイバを有すると共に、他方の光ファイバ群のうちの複数の入力用光ファイバからの光をそれぞれ受光する複数の出力用光ファイバ群を有し、
前記第一の光ファイバ群を構成する複数の光ファイバの前記分波素子側の端部、及び前記第二の光ファイバ群を構成する複数の光ファイバの前記分波素子側の端部は、それぞれ、前記分光方向と平行な方向に一列に並び、
前記第一の光ファイバ群の複数の入力用光ファイバの出射端部の間及び前記第二の光ファイバ群の複数の入力用光ファイバの出射端部の間には、他方の光ファイバ群の少なくとも１つの入力用光ファイバからの光を受光する出力用光ファイバ群の受光端部が配置されている、ことを特徴とする。
【００１１】
請求項３に係る発明の光分波装置は、
請求項２に記載の光分波装置において、
前記第一の光ファイバ群内の複数の入力用光ファイバの出射端部は、いずれも、前記分散素子の特定領域内に光を照射できるように、前記分光方向と平行な面内での角度が互いに異なっており、
前記第二の光ファイバ群内の複数の入力用光ファイバの出射端部は、いずれも、前記分散素子の前記特定領域内の光を照射できるように、前記分光方向と平行な面内での角度が互いに異なっている、ことを特徴とする。
【００１２】
上記問題点を解決するための請求項４に係る発明の光合波装置は、
一定の方向に広がっている各波長域の光を合波する合波素子と、該合波素子で合波された光を受光する出力用光ファイバと、該出力用光ファイバが受光する光のうちの特定波長域の光を該合波素子にそれぞれ出射する複数の入力用光ファイバと、を備えている光合波装置において、
前記合波素子を基準として、前記一定の方向に対して垂直な方向の一方の側と他方の側とにそれぞれ出力用光ファイバの受光端部が配置され、
前記一方の側の出力用光ファイバの受光端部は、前記合波素子で合波された前記他方の側からの光を受光できるように向けられ、前記他方の側の出力用光ファイバの受光端部は、前記合波素子で合波された前記一方の側からの光を受光できるように向けられ、
前記他方の側の出力用光ファイバが受光する光であって前記合波素子で合波される前の各波長域の光をそれぞれ出射する複数の入力用光ファイバの出射端部は、前記合波素子を基準として前記一方の側であって、前記一方の側の出力用光ファイバの受光端部を基準として前記一定の方向と平行な方向に一列に並び、該一方の出力側光ファイバとで第一の光ファイバ群を成し、各入力用光ファイバの出射端部は、それぞれから出射された各波長域の光が、前記合波素子で合波されて前記他方の側の出力用光ファイバで受光できるように、向けられ、
前記一方の側の出力用光ファイバが受光する光であって前記合波素子で合波される前の各波長域の光をそれぞれ出射する複数の入力用光ファイバの出射端部は、前記合波素子を基準として前記他方の側であって、前記他方の側の出力用光ファイバの受光端部を基準として前記一定の方向と平行な方向に一列に並び、該他方の出力側光ファイバとで第二の光ファイバ群を成し、各入力用光ファイバの出射端部は、それぞれから出射された各波長域の光が、前記合波素子で合波されて前記他方の側の出力用光ファイバで受光できるように、向けられている、ことを特徴とする。
【００１３】
請求項５に係る発明の光合波装置は、
請求項４に記載の光合波装置において、
前記第一の光ファイバ群及び前記第二の光ファイバ群は、それぞれ、複数の出力用光ファイバを有すると共に、他方の光ファイバ群のうちの複数の出力用光ファイバへの光をそれぞれ射出する複数の入力用光ファイバ群を有し、
前記第一の光ファイバ群を構成する複数の光ファイバの前記合波素子側の端部、及び前記第二の光ファイバ群を構成する複数の光ファイバの前記合波素子側の端部は、それぞれ、前記一定の方向と平行な方向に一列に並び、
前記第一の光ファイバ群の複数の出力用光ファイバの受光端部の間及び前記第二の光ファイバ群の複数の出力用光ファイバの受光端部の間には、他方の光ファイバ群の少なくとも１つの出力用光ファイバへの光を射出する入力用光ファイバ群の各出射端部が配置されている、ことを特徴とする。
【００１４】
請求項６に係る発明の光合波装置は、
請求項５に記載の光合波装置において、
前記第一の光ファイバ群内の複数の出力用光ファイバの受光端部は、いずれも、前記合波素子の特定領域内からの光を受光できるように、前記一定の方向と平行な面内での角度が互いに異なっており、
前記第二の光ファイバ群内の複数の出力用光ファイバの受光端部は、いずれも、前記合波素子の前記特定領域内からの光を受光できるように、前記一定の方向と平行な面内での角度が互いに異なっている、ことを特徴とする。
【発明の効果】
【００１５】
以上のように、本発明によれば、複数の光ファイバを効率よく配置し、しかも部品を共有化しているので、装置の低コスト化を図ることができる。
【発明を実施するための最良の形態】
【００１６】
以下、本発明の実施の形態の例を図を用いて説明する。
【００１７】
まず、図１及び図２を用いて、以下で説明する本発明に係る一実施形態としての光分波装置の基本原理について説明する。
【００１８】
図１に示す光分波装置は、λ1〜λ4の波長の光を出射する一本の入力用光ファイバ１と、この入力用光ファイバ１からの光を平行光束にするコリメートレンズ３と、コリメートレンズ３からの光を分波するグレーティング分波器５と、このグレーティング分波器５で分波された各波長域の光を集光する集光レンズ４と、この集光レンズ４で集光された各波長域λ1〜λ4の光をそれぞれ受光する複数の出力用光ファイバ２ａ，２ｂ，２ｃ，２ｄと、を備えている。
【００１９】
ここで、仮に、グレーティング分波器５でグレーティングの溝が伸びている方向をＹ方向、このグレーティング分波器５の受光面内でＹ方向に垂直な方向をＸ方向、Ｘ方向及びＹ方向に垂直な方向をＺ方向とする。このように仮定した場合、グレーティング分波器５により分波された各波長域λ1〜λ4の光は、ＺＸ平面と平行な面に沿って、Ｘ方向（分光方向）に広がる。このため、分波された各波長域λ1〜λ4の光を受光する複数の出力用光ファイバ２ａ，２ｂ，２ｃ，２ｄの受光端部は、ＺＸ平面と平行な一の面内に並ぶことになる。
【００２０】
以上の分光装置に、さらに、一本の入力用光ファイバと、この入力用光ファイバからの光を受光する複数の出力用光ファイバを追加する場合、追加する入力用光ファイバの位置及び向きは、各種考えられるが、ここでは、図２及び図３に示すように、追加する一本の入力用光ファイバ１ｂの出射端部を、ＺＸ平面に平行に且つ既存の入力用光ファイバ１ａの出射端部と一列に並べて配置する。さらに、追加する入力用光ファイバ１ｂからの光が、既存の入力用光ファイバ１ａからの光が照射されるグレーティング分波器５の領域と同じ領域に照射されるように、この追加する入力用光ファイバ１ｂの出射端部を向ける。つまり、既存の入力用光ファイバ１ａの出力端部の向きに対して、ＺＸ平面内で、追加する入力用光ファイバ１ｂの出力端部の向きを若干変える。
【００２１】
このように、追加する一本の入力用光ファイバ１ｂの出射端部をＺＸ平面に平行に、且つ既存の入力用光ファイバ１ａの出射端部と一列に並べることで、この追加の入力用光ファイバ１ｂからの光を受光する複数の出力用光ファイバ２ｅ，２ｆ，２ｇ，２ｈの受光端部は、ＺＸ平面に平行で、且つ既存の複数の出力用光ファイバ２ａ，２ｂ，２ｃ，２ｄの受光端部と一列に並ぶことになる。また、既存の入力用光ファイバ１ａからの光と追加の入力用光ファイバ１ｂからの光とを、グレーティング分波器５の同じ領域に照射させることで、各入力用光ファイバ１ａ，１ｂからの光に対して、ほぼ同等の分波効果を与えることができる。
【００２２】
次に、本発明に係る一実施形態としての光分波装置について、図４〜図６を用いて説明する。なお、図４では、図面を見易くするために、後述のレンズ８，９を省略している。
【００２３】
本実施形態の光分波装置は、図４及び図５（ａ）に示すように、複数の入力用光ファイバ６ａ，６ｆ，７ａ，７ｆと、これらの入力用光ファイバからの光を分波するグレーティング分波器１０と、このグレーティング分波器１０で分波された各波長域の光をそれぞれ受光する複数の出力用光ファイバ群６ｂ〜６ｅ，６ｇ〜６ｊ，７ｂ〜７ｅ，７ｇ〜７ｊと、２つの入力用光ファイバ６ａ，６ｆからの光を平行光束にすると共に２つの出力用光ファイバ群６ｂ〜６ｅ，６ｇ〜６ｊへの各波長域の光を集光する第１レンズ８と、２つの入力用光ファイバ７ａ，７ｆからの光を平行光束にすると共に２つの出力用光ファイバ群７ｂ〜７ｅ，７ｇ〜７ｊへの各波長域の光を集光する第２レンズ９と、を備えている。
【００２４】
本実施形態では、複数の入力用光ファイバ６ａ，６ｆ，７ａ，７ｆのうち、入力用光ファイバ６ａはλ1〜λ4の波長の光を出射し、入力用光ファイバ６ｆはλ1'〜λ4'の波長の光を出射し、入力用光ファイバ７ａはλ1''〜λ4''の波長の光を出射し、入力用光ファイバ７ｆはλ1'''〜λ4'''の波長の光を出射するものとする。また、本実施形態においても、先の例と同様に、グレーティング分波器１０のグレーティングの溝が伸びている方向をＹ方向、このグレーティング分波器１０の受光面内でＹ方向に垂直な方向をＸ方向、Ｘ方向及びＹ方向に垂直な方向をＺ方向とする。
【００２５】
複数の入力用光ファイバ６ａ，６ｆ，７ａ，７ｆのうち、入力用光ファイバ６ａ，６ｆの出射端部は、図４及び図５（ａ）に示すように、グレーティング分波器１０を基準として、グレーティングの溝が伸びている方向の一方の側、つまり（＋）Ｙ方向の側に、Ｘ方向に一列に並んだ状態で配置され、入力用光ファイバ７ａ，７ｂの出射端部は、グレーティング分波器１０を基準として、（−）Ｙ方向側に、Ｘ方向に一列に並んだ状態で配置されている。
【００２６】
入力用光ファイバ６ａからの光λ1〜λ4を受光する複数の出力用光ファイバ７ｇ〜７ｊの受光端部、及び入力用光ファイバ６ｆからの光λ1’〜λ4’を受光する複数の出力用光ファイバ７ｂ〜７ｅの受光端部は、グレーティング分波器１０を基準として、（−）Ｙ方向の側に、入力用光ファイバ７ａ，７ｆと共にＸ方向に一列に並んだ状態で配置されている。また、入力用光ファイバ７ａからの光λ1''〜λ4''を受光する複数の出力用光ファイバ６ｇ〜６ｊの受光端部、及び入力用光ファイバ７ｆからの光λ1'''〜λ4'''を受光する複数の出力用光ファイバ６ｂ〜６ｅの受光端部は、グレーティング分波器１０を基準として、（＋）Ｙ方向の側に、入力用光ファイバ６ａ，６ｆと共にＸ方向に一列に並んだ状態で配置されている。つまり、光ファイバとして、本実施形態では、グレーティング分波器１０を基準として、（＋）Ｙ方向側に、Ｘ方向に一列に並んでいる第一の光ファイバ群６ａ〜６ｊと、（−）Ｙ方向側に、Ｘ方向に一列に並んでいる第二の光ファイバ群７ａ〜７ｊと、がある。
【００２７】
第一の光ファイバ群６ａ〜６ｊのうちの入力用光ファイバ６ａ，６ｆの出射端部は、各出射端部からの光がグレーティング分波器１０の特定領域１１に照射される向きに、向けられている。同様に、第二の光ファイバ群７ａ〜７ｊのうちの入力用光ファイバ７ａ，７ｆの出射端部も、各出射端部からの光がグレーティング分波器１０の特定領域１１に照射される向きに、向けられている。したがって、第一の光ファイバ群６ａ〜６ｊの入力用光ファイバ６ａ，６ｆからの光を受光する第二の光ファイバ群７ａ〜７ｊの出力用光ファイバ群７ｇ〜７ｊ，７ｂ〜７ｅの受光端部は、グレーティング分波器１０の特定領域１１からの各波長域の光をそれぞれ受光できる向きに、向けられている。
【００２８】
ここで、各入力用光ファイバ６ａ，６ｆ，７ａ，７ｆからの光の経路について、整理する。
【００２９】
第一の光ファイバ群６ａ〜６ｊの入力用光ファイバ６ａ，６ｆからの光λ1〜λ4，λ1’〜λ4’は、図４及び図５に示すように、第１レンズ８により平行光束にされて、グレーティング分波器１０の特定領域１１に照射され、そこで、波長領域毎の光に分波され、各波長域毎の光の広がり、つまり分波される方向はＺＸ平面と平行な方向になる。なお、図５は、第一の光ファイバ群６ａ〜６ｊの入力用光ファイバ６ａ，６ｆからの光の光路を示し、図６は、第二の光ファイバ群７ａ〜７ｊの入力用光ファイバ７ａ，７ｆからの光の光路を示し、図５及び図６の（ａ）は、Ｘ方向から見た際の光路を示し、図５及び図６の（ｂ）は、Ｙ方向からみた際の光路を示し、図５及び図６の（ｃ）は、Ａ−Ａ線の位置でＹ方向から見た際の光路を示している。また、図４〜図６において、入力用光ファイバ６ａ，７ａからの光の光路を実線で示し、入力用光ファイバ６ｆ，７ｆからの光の光路を破線で示している。
【００３０】
入力用光ファイバ６ａからの光であって、グレーティング分波器１０の特定領域１１で分波された各波長域の光λ1〜λ4は、図４及び図５（ｃ）に示すように、それぞれ、第２レンズ９により、第二の光ファイバ群７ａ〜７ｊのちの対応する出力用光ファイバ７ｇ，７ｈ，７ｉ，７ｊの端面で集光し、これらの出力用光ファイバ７ｇ，７ｈ、７ｉ，７ｊにより受光される。また、入力用光ファイバ６ｆからの光であって、グレーティング分波器１０の特定領域１１で分波された各波長域の光λ1’〜λ4’は、それぞれ、第２レンズ９により、第二の光ファイバ群７ａ〜７ｊのちの対応する出力用光ファイバ７ｂ，７ｃ，７ｄ，７ｅの端面で集光し、これらの出力用光ファイバ７ｂ，７ｃ，７ｄ，７ｅにより受光される。
【００３１】
また、第２の光ファイバ群７ａ〜７ｊのうちの入力用光ファイバ７ａ，７ｆからの光λ1''〜λ4''，λ1'''〜λ4'''は、図６（ａ）（ｃ）に示すように、第２レンズ９により平行光束にされて、グレーティング分波器１０の特定領域１１に照射され、そこで、波長領域毎の光に分波され、各波長域毎の光の広がりはＺＸ平面と平行な方向になる。そして、各波長域の光λ1''〜λ4''，λ1'''〜λ4'''は、図６（ａ）（ｂ）に示すように、それぞれ、第１レンズ８により、第一の光ファイバ群６ａ〜６ｊのちの対応する出力用光ファイバ６ｇ，６ｈ，６ｉ，６ｊ及び出力用光ファイバ６ｂ，６ｃ，６ｄ，６ｅの端面で集光し、これらの出力用光ファイバ６ｇ，６ｈ，６ｉ，６ｊ及び出力用光ファイバ６ｂ，６ｃ，６ｄ，６ｅにより受光される。
【００３２】
以上、本実施形態では、グレーティング分波器１０を基準として、グレーティングの溝が伸びている方向の一方、つまり（＋）Ｙ方向に入力用光ファイバ６ａ，６ｆを配し、（−）Ｙ方向にも入力用光ファイバ７ａ，７ｂを配し、（＋）Ｙ方向側の入力用光ファイバ６ａ，６ｆからの光を受光する出力用光ファイバ群７ｇ〜７ｊ，７ｂ〜７ｅを、（−）Ｙ方向側に入力用光ファイバ７ａ，７ｂと共に一列に並んだ状態で配し、（−）Ｙ方向側の入力用光ファイバ７ａ，７ｆからの光を受光する出力用光ファイバ群６ｇ〜６ｊ，６ｂ〜６ｅを、（＋）Ｙ方向側に入力用光ファイバ６ａ，６ｂと共に一列に並んだ状態で配したので、複数の入力用光ファイバ６ａ，６ｆ，７ａ，７ｆ及び複数の出力用光ファイバ群７ｇ〜７ｊ，７ｂ〜７ｅ，６ｇ〜６ｊ，６ｂ〜６ｅを極めて効率よく配置することができる。
【００３３】
また、第一の光ファイバ群６ａ〜６ｊのうちの入力用光ファイバ６ａの出射端部と入力用光ファイバ６ｆの出射端部とは、これらから出射された光を受光する際に、互いに干渉しないようにするため、両者の間隔を離す必要があり、この間が無駄なスペースとなってしまうが、本実施形態では、この間に、第二の光ファイバ群７ａ〜７ｊの入力用光ファイバ７ｆからの光を受光する出力用光ファイバ群６ｂ〜６ｅの受光端部を配置したので、本来無駄になってしまうスペースを有効利用でき、この点からも、複数の光ファイバを効率よく配置していると言える。
【００３４】
さらに、本実施形態では、複数の入力用光ファイバ６ａ，６ｆ，７ａ，７ｆ及び複数の出力用光ファイバ群７ｇ〜７ｊ，７ｂ〜７ｅ，６ｇ〜６ｊ，６ｂ〜６ｅに対して、レンズ８，９及びグレーティング分波器１０の共有化を図っているので、従来技術のように、１つの入力用光ファイバ毎に、１つのコリメートレンス及び集光レンズ、１つのグレーティング分波器を設けるよりも、遥かに部品点数が少なくすることができる。特に、この部品点数の削減に関して、レンズ８，９のそれぞれに対して、コリメートレンズと集光レンズの両方の機能を持たせていることは重要である。
【００３５】
したがって、本実施形態では、部品の共有化及び複数の光ファイバの効率のよい配置により、装置のコンパクト化を図ることができる。さらに、本実施形態では、部品点数が少なくなることから、製品コストを抑えることもできる。
【００３６】
また、複数の入力用光ファイバ６ａ，６ｆ，７ａ，７ｆからの光は、１つのグレーティング分波器１０のうちの同一箇所に照射されるので、入力用光ファイバ６ａ，６ｆ，７ａ，７ｆからの光に対して、同じ分波効果を与えることができる。このため、出力として取り出される各波長域の光の均質化を図ることができる。
【００３７】
なお、以上の実施形態では、複数の入力用光ファイバ６ａ，６ｆ，７ａ，７ｆからの光を１つのグレーティング分波器１０のうちの同一箇所に照射させているが、これは厳格なものではなく、グレーティング分波器１０の受光面で、各入力用光ファイバ６ａ，６ｆ，７ａ，７ｆからの各光の一部が相互に重なり合う程度でもよい。
【００３８】
また、以上の実施形態では、第一の光ファイバ群及び第二の光ファイバ群には、それぞれ、二つずつの入力用光ファイバを設けたが、それぞれ、１つずつの入力用光ファイバを設けても、また、三つ以上の入力用光ファイバを設けてもよいことは言うまでもない。
【００３９】
また、入力用光ファイバと出力用光ファイバとは、同一仕様のものでもよいが、異なる仕様のものでもよい。具体的には、入力用光ファイバとしてシングルモードの光ファイバを用い、出力用光ファイバとしてマルチモードの光ファイバを用いてもよい。
【００４０】
また、以上の装置の使用にあたり、クロストーク及び反射減衰量などが問題にならない程度であれば、１つの出力用光ファイバ群を構成する複数の出力用光ファイバのいずれかの間に、入力用光ファイバを設けてもよい。
【００４１】
また、以上では、本実施形態の装置を光分波装置として説明したが、光の向きを逆にすれば、本実施形態の装置を光合波装置しても使用できる。具体的には、各波長域の光を受光する出力用光ファイバから、各波長域の光を出射させて、光を分波するグレーティング分波器をグレーティング合波器として使用して、入力用光ファイバで、グレーティン合波器で合波された光を受光するようにすればよい。
【００４２】
また、分波器及び合波器の例として、以上では、反射型グレーティングを用いているが、本発明はこれに限定されるものではなく、透過型グレーティングを用いても、さらにプリズムを用いてもよく、要は、分波器の場合には、分波で得られた各波長域の光が一の面に沿って一定の方向に広がり、合波器の場合には、一の面に沿って一定の方向に広がっている各波長の光を合波できるものであれば、如何なるものを用いてもよい。
【図面の簡単な説明】
【００４３】
【図１】一本の入力用光ファイバを有する光分波装置の構成を示す説明図である。
【図２】２本の入力用光ファイバを有する光分波装置の構成を示す説明図である。
【図３】図２の光分波装置をＺ方向から見た際の構成を示す説明図である。
【図４】本発明に係る一実施形態における光分光装置をＺ方向から見た際の構成を示す説明図である。
【図５】本発明に係る一実施形態における光分光装置の第一の光ファイバ群のうちの入力用光ファイバからの光の光路を示す説明図である。
【図６】本発明に係る一実施形態における光分光装置の第二の光ファイバ群のうちの入力用光ファイバからの光の光路を示す説明図である。
【符号の説明】
【００４４】
１ａ，１ｂ，６ａ，６ｆ，７ａ，７ｆ…入力用光ファイバ、２ａ〜２ｈ，６ｂ〜６ｅ，６ｇ〜６ｊ，７ｂ〜７ｅ，７ｇ〜７ｊ…出力用光ファイバ、３…コリメートレンズ、４…集光レンズ、５，１０…グレーティング分波器、８…第１レンズ、９…第２レンズ。
【図１】
2005077907.tif 000003
【図２】
2005077907.tif 000004
【図３】
2005077907.tif 000005
【図４】
2005077907.tif 000006
【図５】
2005077907.tif 000007
【図６】
2005077907.tif 000008